(57)【特許請求の範囲】
【請求項１】
Ｘ線管と、
このＸ線管から曝射されたＸ線を検出する検出素子が複数個マトリックス状に配列して成る平面検出器と、
前記Ｘ線の照射量を検出するセンサー素子が複数個マトリックス状に配列して成る露光制御用Ｘ線センサーとを有するＸ線診断装置において、
前記平面検出器の検出素子の使用範囲を上、下、左又は右に切り替える手段と、
前記使用範囲に応じてＸ線の照射領域を制限する手段と、
前記平面検出器の検出素子の使用範囲の切り替えに応じて、前記露光制御用Ｘ線センサーの使用範囲を切り替えて、前記平面検出器の検出器の使用範囲の対応する領域の中の一部となるように制御する制御手段を備えることを特徴とするＸ線診断装置。
【請求項２】
Ｘ線管と、
このＸ線管から曝射されたＸ線を検出する検出素子が複数個マトリックス状に配列して成る平面検出器と、
前記Ｘ線の照射量を検出するセンサー素子が複数個マトリックス状に配列して成る露光制御用Ｘ線センサーとを有するＸ線診断装置において、
前記平面検出器の検出素子の使用範囲を上、下、左又は右に切り替える手段と、
前記使用範囲に応じてＸ線の照射領域を制限する手段と、
前記平面検出器の検出素子の使用範囲の切り替えに応じて、前記露光制御用Ｘ線センサーの使用範囲を切り替えて、前記平面検出器の検出器の使用範囲の対応する領域の中の一部となるように制御する制御手段と、
前記平面検出器の検出素子の使用範囲の切り替えに応じて、前記Ｘ線管と前記平面検出器の相対的な位置関係を変更する位置変更手段とを備えることを特徴とするＸ線診断装置。
【請求項３】
前記制御手段は、前記平面検出器の検出素子の使用範囲に照射されるＸ線を捕らえる領域に、前記露光制御用Ｘ線センサーの使用範囲が来るように前記露光制御用Ｘ線センサーの使用範囲を切り替えることを特徴とする請求項１又は２記載のＸ線診断装置。
【請求項４】
前記位置変更手段は、前記平面検出器の検出素子の使用範囲の中心部分に前記Ｘ線がほぼ垂直に入射されるように前記Ｘ線管と前記平面検出器の相対的な位置関係を変更することを特徴とする請求項２記載のＸ線診断装置。
【請求項５】
前記Ｘ線管から照射されるＸ線の照射領域をＸ線コリメータで制限する構成の場合、前記位置変更手段により、前記Ｘ線管と前記平面検出器との相対的な位置関係を変更する際に、前記Ｘ線コリメータ及び前記Ｘ線管との位置関係を固定化して動かさないようにすることを特徴とする請求項２記載のＸ線診断装置。
【請求項６】
前記平面検出器に照射されるＸ線の照射量を露光制御用Ｘ線センサーで検出する場合、前記位置変更手段により、前記Ｘ線管と前記平面検出器との相対的な位置関係を変更する際に、前記平面検出器と前記露光制御用Ｘ線センサーとの位置関係を固定化して動かさないようにすることを特徴とする請求項２記載のＸ線診断装置。
【請求項７】
放射線を発生する放射線発生装置と、
この放射線発生装置から放射された放射線を検出する検出素子が複数個マトリックス状に配列して成る平面検出器と、
前記放射線の照射量を検出するセンサー素子が複数個マトリックス状に配列して成る露光制御用放射線センサーとを有する放射線診断装置において、
前記平面検出器の検出素子の使用範囲を上、下、左又は右に切り替える手段と、
前記使用範囲に応じて放射線の照射領域を制限する手段と、
前記平面検出器の検出素子の使用範囲の切り替えに応じて、前記露光制御用放射線センサーの使用範囲を切り替えて、前記平面検出器の検出器の使用範囲の対応する領域の中の一部となるように制御する制御手段と、
前記平面検出器の検出素子の使用範囲の切り替えに応じて、前記放射線発生装置と前記平面検出器の相対的な位置関係を変更する位置変更手段とを備えることを特徴とする放射線診断装置。
【発明の詳細な説明】
【０００１】
【発明の属する技術分野】
本発明は、被検者にＸ線などの放射線を当てて透視画像を撮像するＸ線診断装置及び放射線診断装置に関する。
【０００２】
【従来の技術】
従来のＸ線診断装置において、Ｘ線の照射量を制御する方法としては、下記に示すような方法があった。
【０００３】
Ｘ線フイルムの場合、Ｘ線の照射するＸ線源、被写体、Ｘ線フィルムの順番に配置する。被写体とフィルムの間に、半導体検出器又はシンチレーティング光ファイバーを配置して、フィルムに入射するＸ線量をモニターし、入射したＸ線量が所定の値に達したところでＸ線を遮断する方法。
【０００４】
ここで、半導体検出器やシンチレーティング光ファイバーはＸ線の一部を吸収し、フィルムでの画像生成にはほとんど影響しない。半導体検出器はフォトダイオードであり、Ｘ線が半導体の中で電子−正孔対を生成することにより、電気信号を得る。シンチレーティング光ファイバーは、Ｘ線がシンチレータ中で吸収されて光を発し、これを光ファイバーによりフォトマルチプラヤのような光検出器に導いて電気信号を得る。
【０００５】
Ｉ．Ｉ−ＴＶシステムの場合、Ｘ線源、被写体、イメージインテンシファイヤ（ＸＲII）、光学系、ＴＶカメラの順番に配置する。
【０００６】
第１の方法は、被写体とＸＲIIの間にＸ線フィルムと同様な検出器を配置し、この出力の積分値が所定の値に達した時、Ｘ線を遮断する前面採光する方法。
【０００７】
第２の方法は、ＸＲIIの出力の一部をフォトマルチプライヤのような光検出器に導くことによって、電気信号を得、この出力の積分値が所定の値に達した時にＸ線を遮断するＸＲIIの出力を採光する方法。
【０００８】
第３の方法は、ＸＲIIの出力の一部をフォトマルチプライヤのような光検出器に導くことによって、入射するＸ線強度に比例した電気信号を得、これが所定の値に保つようにＸ線強度を制御する方法で、弱いＸ線を連続して照射して動画を得る透視検査で使用される。
【０００９】
第４の方法は、ＴＶカメラの出力から関心領域内の信号強度を得、これが所定の値に保つようにＸ線強度を制御する方法で、第３の方法と同様、弱いＸ線を連続して照射して動画を得る透視検査で使用される。
【００１０】
平面検出器の場合、Ｘ線源、被写体、平面検出器の順番に配置する。
【００１１】
第一の方法は、被写体と平面検出器の間にＸ線フィルムの場合と同様な検出器を配置し、この出力の積分値が所定の値に達した時にＸ線を遮断する前面採光する方法。
【００１２】
第二の方法は、平面検出器の後ろにＸ線フィルムの場合と同様な検出器を配置し、平面検出器を透過したＸ線を検出し、この出力の積分値が所定の値に達した時、Ｘ線を遮断する後面採光する方法。
【００１３】
第三の方法は、平面検出器の画素の一部（複数）を、Ｘ線曝射中に繰り返し読み出し、繰り返し読み出された結果を画素毎に加算して記憶しておき、画素毎に加算された結果の合計値が所定の値に達したらＸ線を遮断する方法。
【００１４】
画像を形成するために、曝射中に読み出した画素については、画素ごとに記憶されている加算結果を画素値として用い、それ以外の画素については、曝射終了後の通常の読み出しで得られる信号をその画素の画素値として用いる（関連出願特許公開番号ＰＨ０７−２０１４９０）。この方法は、第一、第二の方法に比べて、平面検出器自身を利用するため、Ｘ線制御をより適正に行うことができ、また平面検出器以外に別の検出器を必要としないため、コスト低減、信頼性向上を図ることができる。
【００１５】
また、画像検出器の一部を画像検出に使用し、その使用する部分を画像検出器内の任意の位置に設定可能なＸ線診断装置が提案（特許出願番号ＰＨ０９−１６４２４９）されている。
【００１６】
【発明が解決しようとする課題】
ところで、画像検出器の一部を画像検出に使用し、その使用する部分を画像検出器内の任意の位置に設定可能な従来のＸ線診断装置では、露光用Ｘ線量センサーの位置が固定であるため、画像検出器の使用する部分を移動すると、露光機能が良好に動作せず、適切な露出の画像を得ることができないという問題があった。
【００１７】
また、画像検出器の一部を画像検出に使用する場合、使用する部分の中心に対して、Ｘ線が垂直に入射するようにできないことが起きるため、被検者の検査対象部位を適切な角度で観察することができないという問題があった。
【００１８】
本発明は、上述の如き従来の課題を解決するためになされたもので、その目的は、画像を構成するために放射線を検出する平面検出器の任意の部分を画像検出に使用する場合でも、Ｘ線照射量の適正な検出により、常に適切な露出の画像を得ること及び被検者の検査対象部位を適切な角度で観察することができるＸ線診断装置及び放射線診断装置を提供することである。
【００１９】
上記目的を達成するために、請求項１記載の発明の特徴は、Ｘ線管と、このＸ線管から曝射されたＸ線を検出する検出素子が複数個マトリックス状に配列して成る平面検出器と、前記Ｘ線の照射量を検出するセンサー素子が複数個マトリックス状に配列して成る露光制御用Ｘ線センサーとを有するＸ線診断装置において、前記平面検出器の検出素子の使用範囲を上、下、左又は右に切り替える手段と、前記使用範囲に応じてＸ線の照射領域を制限する手段と、前記平面検出器の検出素子の使用範囲の切り替えに応じて、前記露光制御用Ｘ線センサーの使用範囲を切り替えて、前記平面検出器の検出器の使用範囲の対応する領域の中の一部となるように制御する制御手段を備えることにある。
【００２０】
この第１の発明によれば、前記平面検出器は複数の検出素子がマトリックス状に配列されて構成されており、前記平面検出器の検出素子の使用範囲は前記全体のマトリックスの部分マトリックスとなる。一方、露光制御用Ｘ線センサーもＸ線を検出するセンサー素子が複数個マトリックス状に配置されて構成されている。このため、前記平面検出器の検出に使用する部分マトリックスの切り替えに応じて、この部分マトリックスに照射されるＸ線を捕らえられる範囲のセンサー素子が動作するように、前記露光制御用Ｘ線センサーの使用範囲を切り替えれば、前記露光制御用Ｘ線センサーは、前記部分マトリックスの範囲と位置が任意に設定されても、常に、この部分マトリックスに照射されるＸ線の照射量を正確に検出することができる。
【００２３】
請求項２記載の発明の特徴は、Ｘ線管と、このＸ線管から曝射されたＸ線を検出する検出素子が複数個マトリックス状に配列して成る平面検出器と、前記Ｘ線の照射量を検出するセンサー素子が複数個マトリックス状に配列して成る露光制御用Ｘ線センサーとを有するＸ線診断装置において、前記平面検出器の検出素子の使用範囲を上、下、左又は右に切り替える手段と、前記使用範囲に応じてＸ線の照射領域を制限する手段と、前記平面検出器の検出素子の使用範囲の切り替えに応じて、前記露光制御用Ｘ線センサーの使用範囲を切り替えて、前記平面検出器の検出器の使用範囲の対応する領域の中の一部となるように制御する制御手段と、前記平面検出器の検出素子の使用範囲の切り替えに応じて、前記Ｘ線管と前記平面検出器の相対的な位置関係を変更する位置変更手段とを備えることにある。
【００３０】
請求項７記載の発明の特徴は、放射線を発生する放射線発生装置と、この放射線発生装置から放射された放射線を検出する検出素子が複数個マトリックス状に配列して成る平面検出器と、前記放射線の照射量を検出するセンサー素子が複数個マトリックス状に配列して成る露光制御用放射線センサーとを有する放射線診断装置において、前記平面検出器の検出素子の使用範囲を上、下、左又は右に切り替える手段と、前記使用範囲に応じて放射線の照射領域を制限する手段と、前記平面検出器の検出素子の使用範囲の切り替えに応じて、前記露光制御用放射線センサーの使用範囲を切り替えて、前記平面検出器の検出器の使用範囲の対応する領域の中の一部となるように制御する制御手段と、前記平面検出器の検出素子の使用範囲の切り替えに応じて、前記放射線発生装置と前記平面検出器の相対的な位置関係を変更する位置変更手段とを備えることにある。
【００３１】
【発明の実施の形態】
以下、本発明の実施の形態を図面に基づいて説明する。図１は、本発明のＸ線診断装置の第１の実施の形態を示したブロック図である。Ｘ線診断装置は、Ｘ線を曝射するＸ線管１、Ｘ線の照射領域を調整するＸ線コリメータ２、Ｘ線の照射量を検出する露光制御用センサーアレイ３、Ｘ線を検出する平面検出器４、平面検出器４により検出されたＸ線を処理して画像を形成する処理回路５、Ｘ線透視画像を表示する表示器６、平面検出器４及び処理回路５を制御する制御回路７、Ｘ線管１の動作を制御するＸ線制御器８、Ｘ線制御器８、露光制御用センサーアレイ３、制御回路７、駆動制御装置１１を制御し、又操作者１００からの指示を受け付けるシステム制御器９、Ｘ線管１とＸ線コリメータ２をこれらの位置関係が動かないように同時に動かす駆動機構１０、この駆動機構１０を駆動制御する駆動制御装置１１を有している。
【００３２】
次に本実施の形態の動作について説明する。操作者１００は検査目的に応じて、平面検出器４のどの部分のマトリクスをＸ線検出に使うかをシステム制御器９に入力する。
【００３３】
これに応じて、システム制御器９は制御回路７を通して平面検出器４の駆動を切り替えて、使用するマトリックス部分を設定する。またシステム制御器９は露光制御用センサーアレイ３のＸ線検出に使用する部分も切り替える。操作者１００がＸ線の曝射をシステム制御器９に指示すると、Ｘ線制御器８は制御回路７に対して平面検出器４の電荷クリアを指示する。これにより、制御回路７は平面検出器４の電荷をクリアする。
【００３４】
電荷クリアが実行されたら、制御回路７は準備ができたことをＸ線制御器８に通知する。その後、Ｘ線制御器８はＸ線管１を動作させ、Ｘ線管１からＸ線を曝射する。Ｘ線管１から曝射されたＸ線はＸ線コリメータ２によりその照射領域が調整されてから被検者２００を透過し、更に、露光制御用センサーアレイ３を通って、平面検出器４に至る。平面検出器４は受光したＸ線を電気信号に変えて、これを処理回路５に出力する。処理回路５は入力した電気信号に各種処理を加えて画像信号とし、これを表示器６に表示する。これにより、表示器６の画面には被検者２００の透視画像が表示される。
【００３５】
露光制御用センサーアレイ３はＸ線の照射量をモニターし、照射量に比例する信号をＸ線制御器８に出力する。Ｘ線制御器８は、露光用制御センサーアレイ３の出力が所定の値に達したら、Ｘ線管１からのＸ線の照射を遮断する。
【００３６】
図２はＸ線検出素子がＮ列×Ｍ行の２次元マトリックス状に配列された平面検出器４の構成例を示した概略図である。平面検出器４はＸ線を検出して、電荷に変換して保持する画素（Ｘ線電気変換素子）４１が、Ｎ列、Ｍ行の２次元マトリクス状に配置されたアレイ部と、これらを行ごとに選択する行選択器４２、選択された行に含まれる複数の画素４１からの出力を順次切り替えて検出器外に出力するシフトレジスタ４３とから構成されてる。
【００３７】
次に上記した平面検出器４の部分マトリクスＬ列、Ｋ行を使用する場合について説明する。但し、使用範囲は斜線で示してある。まず、平面検出器４の使用方法としては、図３（ａ）に示すように検出器全体を使用する。図３（ｂ）に示すように平面検出器４の中央付近の部分マトリクスを使用する。図３（ｃ）に示すように平面検出器４の左下部の部分マトリクスを使用する。図３（ｄ）に示すように平面検出器４の下部中央の部分マトリクスを使用する。図３（ｅ）に示すように平面検出器４の右上部の部分マトリクスを使用する。図３（ｆ）に示すように平面検出器４の上部中央の部分マトリクスを使用する場合がある。
【００３８】
これらの切替は、被検者２００に対する検査目的によって操作者１００がシステム制御器９に指示して切り替える。この切替に連動してＸ線コリメータ２が動き、Ｘ線の照射領域を制限する。更に、Ｘ線管１とＸ線コリメータ２の支持部を平面検出器４の検出面に平行に駆動機構１０により動かして、Ｘ線管１の発生するＸ線の中心ビームが使用する部分マトリクスの中心にほぼ垂直に入射するように、Ｘ線管１と平面検出器４の相対位置関係を調整する。
【００３９】
図４は上記した被検者２００とＸ線管１と平面検出器４との相対位置関係の変化例を示した説明図である。被検者２００の心臓２０１を検査する場合、図４（ａ）に示すような被検者２００とＸ線管１と平面検出器４との位置関係で検査が行われる場合がある。図４（ｂ）に示すように、平面検出器４が広い視野を得られるように大きくなると、従来ではＸ線管１と平面検出器４の位置関係が固定であるため、Ｘ線の中心ビームが検査対象である心臓２０１に照射されないばかりか、心臓２０１に照射されて透過したＸ線を平面検出器４で捕らえられないような幾何学的な位置関係が生じる場合がある。
【００４０】
しかし、本例では、平面検出器４を大きくしたままで、心臓２０１を撮像するための最適な位置関係を得られる部分マトリクスを選択し、且つこの部分マトリクスの中心に、Ｘ線の中心ビームが概略垂直に入射するように、Ｘ線管１と平面検出器４の相対的な位置関係を上記した駆動機構１０により図４（ｃ）に示すようにずらすため、心臓２０１を常に適切な角度で観察することができる。
【００４１】
次に、露光制御用センサーアレイ３は、図５に示すように、例えばＸ線センサー３１をＡ列、Ｂ行に並ベ、平面検出器４の前、または後に置くことにより、Ｘ線の照射量を検出するものである。平面検出器４の前に置く場合は、Ｘ線の一部を検出して、入射したＸ線はほとんどは透過して平面検出器４に入射するような構成とする。後に置く場合は、平面検出器４を透過したＸ線をほとんど全て吸収するような構成とする。
【００４２】
この露光制御用センサーアレイ３を構成する複数のＸ線センサー３１の使用部分を、図６に示した平面検出器４の使用する部分マトリクスの切替に応じて、図６（ａ）〜図６（ｆ）に示すように切り替え、使用する平面検出器４の部分マトリクスに対応する領域の中の一部となるようにする。
【００４３】
このように、システム制御器９でオン、オフされるスイッチＳＷにより選ばれたＸ線センサー３１の使用部分は、図７に示すように電流積分器３２に接続され、各センサー３１に入射したＸ線の総量に比例した信号をこの電流積分器３２により得て、これをＸ線制御器８に入力してＸ線の照射量の制御に用いる。しかも、平面検出器４の使用する部分マトリックスの範囲及び位置に応じて、露光制御用センサーアレイ３の使用部分を変更しているため、露光制御用センサーアレイ３は平面検出器４の部分マトリックスに照射されるＸ線照射量を常に適切に検出することになる。
【００４４】
本実施の形態によれば、平面検出器４の任意に設定される部分マトリクスを用いてＸ線の透視画像を検出する場合、Ｘ線管１からのＸ線が前記部分マトリクスの中心にほぼ直角に入射するように、Ｘ線管１をＸ線コリメータ２と共に動かすため、被検者２００の検査対象部位を常に適切な角度で観察することができる。
【００４５】
また、平面検出器４の任意に設定される部分マトリクスを用いてＸ線の透視画像を検出する場合、露光制御用センサーアレイ３の使用部分も、前記部分マトリクスの範囲に応じて変更するため、常に、部分マトリクスに照射されたＸ線照射量を正確に検出することができ、この正確なＸ線照射量により基づいて、Ｘ線管１から曝射されるＸ線照射量を制御することができ、常に、適切な露出の透視画像を得ることができる。
【００４６】
尚、露光制御用のセンサーアレイ３の使用部分を切り替えるのではなく、適当な大きさの露光制御用のセンサーアレイ３を平面検出器４の任意に設定される部分マトリクスに応じて機械的に移動させても、同様の効果を得ることができる。
【００４７】
図８は、本発明のＸ線診断装置の第２の実施の形態を示したブロック図である。但し、図１に示した第１の実施の形態と同一部分には同一符号を付して説明し、適宜その説明を省略する。本例は、Ｘ線管１とＸ線コリメータ２は固定で、露光制御用センサーアレイ３と平面検出器４がこれらの位置関係が変わらないようにセットで駆動機構１０により移動される。これにより、Ｘ線管１と平面検出器４の相対的な位置関係が変更されて、平面検出器４の使用部分マトリックスの中心にＸ線の中心ビームが概略垂直に入射するように調整される。他の構成は図１に示した第１の実施の形態と同様であり、同様の効果を得ることができる。
【００４８】
図９は、本発明のＸ線診断装置の第３の実施の形態を示したブロック図である。但し、図１に示した第１の実施の形態と同一部分には同一符号を付して説明し、適宜その説明を省略する。Ｘ線診断装置は、Ｘ線を曝射するＸ線管１、Ｘ線を検出する平面検出器４、Ｘ線透視画像を表示する表示器６、Ｘ線管１の動作を制御するＸ線制御器８、Ｘ線制御器８、平面検出器コントローラ１２を制御し、又、操作者１００からの指示を受け付けるシステム制御器９、平面検出器４を制御する平面検出器コントローラ１２、平面検出器４内の自動露光用に使用される画素の電荷を加算すると共に、その加算値を記憶する加算器及びメモリ１３、この加算器及びメモリ１３に記憶されている加算値の合計値を算出する算出回路１５、この算出回路１５により算出された合計値が閾値を越えたかどうかを比較する比較器１６、平面検出器４により検出された画像を記憶する画像メモリ１７を有している。
【００４９】
次に本実施の形態の動作について説明する。本例は露光制御用のセンサーアレイを設けず、平面検出器４の所定の画素を露光制御用のセンサーとして利用している。平面検出器コントローラ１２は平面検出器４の使用する部分マトリックスを設定すると共に、この部分マトリックスの切り替えに応じて、適正な露光が得られるように露光制御用の画素の範囲を切り替えて設定する。
【００５０】
これにより、Ｘ線管１から曝射されたＸ線を図示されない被検者を通して平面検出器４が受光すると、平面検出器４の使用部分マトリックスにより検出されたＸ線検出信号が出力されると共に、露光制御用の画素に保持された電荷が繰り返し読み出されて出力される。露光制御用の画素から繰り返し出力された電荷は自動露光用画素加算器及びメモリ１３で読み出される毎に加算され、その加算値が各画素毎に記憶される。また、平面検出器４で検出された信号は切替器１４を介して画像メモリ１７に一旦記憶された後、表示器６に透視画像として表示される。
【００５１】
一方、算出回路１５は自動露光用画素加算器及びメモリ１３に記憶されている各画素の加算値を合計し、その合計値を比較器１６に出力する。比較器１６は入力された合計値を予め設定されている閾値と比較し、合計値が閾値を越えると、これをＸ線制御器８に知らせる。Ｘ線制御器８は比較器１６からの知らせを受け取ると、Ｘ線管１からのＸ線の照射を停止する。
【００５２】
本実施の形態のように、平面検出器４の所定のマトリクス部分を露光制御用のセンサーに使用する構成において、平面検出器４に任意に設定される部分マトリクスの切り替えに応じて、露光制御用センサーに使用する所定の画素部分の範囲を変更するため、平面検出器４の使用部分マトリックスによらず、常に正確なＸ線照射量を得ることができ、この正確なＸ線照射量により基づいて、Ｘ線管１から曝射されるＸ線照射量を制御することにより、常に、適切な露出の透視画像を得ることができる。
【００５３】
尚、上記実施の形態ではＸ線診断装置に本発明を適用する例について述べたが、γ線などの放射線を照射して診断を行う放射線診断装置に本発明を適用しても同様の効果を得ることができる。
【００５４】
【発明の効果】
以上詳細に説明したように、本発明によれば、画像を構成するために放射線を検出する平面検出器の任意の部分を画像検出に使用する場合でも、常に、Ｘ線照射量の適正な検出により適切な露出の画像を得ることができる。また、画像検出に使用する部分を平面検出器内の任意の位置に設定した場合にも、常に、被検者の検査対象部位を適切な角度で観察することができる。
【図面の簡単な説明】
【図１】本発明のＸ線診断装置の第１の実施の形態を示したブロック図である。
【図２】図１に示した平面検出器の構成例を示した概略図である。
【図３】図１に示した平面検出器の中で使用する部分マトリックスの切り替え例を示した説明図である。
【図４】図１に示した被検者とＸ線管と平面検出器との相対位置関係の変化例を示した説明図である。
【図５】図１に示した露光制御用センサーアレイの構成例を示した平面図である。
【図６】図１に示した露光制御用センサーアレイの使用部分切り替え例を説明する図である。
【図７】図１に示した露光制御用センサーアレイのＸ線量検出動作を説明する図である。
【図８】本発明のＸ線診断装置の第２の実施の形態を示したブロック図である。
【図９】本発明のＸ線診断装置の第３の実施の形態を示したブロック図である。
【符号の説明】
１  Ｘ線管
２  Ｘ線コリメータ
３  露光制御用センサーアレイ
４  平面検出器
５  処理回路
６  表示器
７  制御回路
８  Ｘ線制御器
９  システム制御器
１０  駆動機構
１１  駆動制御装置
１２  平面検出器コントローラ
１３  自動露光用画素加算器及びメモリ
１４  切替器
１５  算出回路
１６  比較器
１７  画像メモリ
３１  Ｘ線センサー
３２  電流積分器
４１  画素
４２  行選択器
４３  シフトレジスタ
１００  操作者
２００  被検者
【図１】
0004383558.tif 000002
【図２】
0004383558.tif 000003
【図３】
0004383558.tif 000004
【図４】
0004383558.tif 000005
【図５】
0004383558.tif 000006
【図６】
0004383558.tif 000007
【図７】
0004383558.tif 000008
【図８】
0004383558.tif 000009
【図９】
0004383558.tif 000010